(57)【要約】【課題】桶に滞留するごみを簡便に除去することが可能であり、タンクから複数の桶に注入された湯の温度にばらつきが生じることを抑制することが可能な足湯装置を提供する。【解決手段】足湯装置１は、湯が注入される桶２と、桶２の中央底部に設けられた凹部３に嵌め込まれて設置されるダストボックス４とを備え、ダストボックス４は、その上部を覆う上蓋５を備えている。ダストボックス４は、ダストボックス４内の湯を吸い込んで、ポンプユニット８に送る吸込口９を備えている。吸込口９にはフィルターが装着されており、ポンプユニット８に送られた湯はポンプユニット８によって加圧されて桶２に流入する。桶２の内部でダストボックス４の周囲を旋回する湯の流れが生成されて、桶２の内部のごみがダストボックス４内へ集約される。【選択図】図１
2018175274.tif 000002
【特許請求の範囲】
【請求項１】
湯が注入される桶と、桶の中央底部に設けられた凹部に嵌め込まれて設置されるダストボックスとを備えた足湯装置であって、ダストボックスは、ダストボックス内の湯を吸い込んでポンプユニットに送る吸込口を備え、吸込口にはフィルターが装着されており、ポンプユニットに送られた湯はポンプユニットによって加圧されて桶に流入し、桶の内部でダストボックスの周囲を旋回する湯の流れが生成されることを特徴とする足湯装置。
【請求項２】
前記ダストボックスは上部を覆う上蓋を備え、側壁と底面部とを有する箱型形状であって、側壁の上方に空隙を隔てて、上蓋の外周端下方に、真下方向よりも内側に傾斜した板からなる返しが形成されていることを特徴とする請求項１記載の足湯装置。
【請求項３】
前記桶の凹部を形成する壁面は上端外周部に階段部を有し、前記ダストボックスは側壁の上端外周側に水平部を有しており、前記階段部の水平面と前記ダストボックスの水平部とが接して密着した状態で、前記凹部に前記ダストボックスが嵌めこまれることを特徴とする請求項２記載の足湯装置。
【請求項４】
前記ダストボックスの側壁と底面部は、砂を含有する樹脂によって形成されていることを特徴とする請求項２または３記載の足湯装置。
【請求項５】
前記上蓋は、前記ダストボックスの上端に対してねじ止めにより取り付けられていることを特徴とする請求項２から４のいずれかに記載の足湯装置。
【請求項６】
前記桶の底面は、外周側から中心部方向に向かって下向きに傾斜していることを特徴とする請求項１から５のいずれかに記載の足湯装置。
【請求項７】
前記桶に湯を注入するタンクを備え、タンクから複数の桶に湯を供給するホースから桶への流路に対して湯圧ノズルが装着されて、複数の桶に湯を供給する際の湯の供給量と供給時間が湯圧ノズルによって調整されることを特徴とする請求項１から６のいずれかに記載の足湯装置。
【発明の詳細な説明】
【技術分野】
【０００１】
本発明は足湯装置に関し、特に、運搬によって移動して設置することができる可搬型の足湯装置に関する。
【背景技術】
【０００２】
温泉地においては、駅前や店舗の前のように、人が集まる場所に足湯が設置されているケースが多い。通常の足湯は、近くに温泉の源泉がある場合が多く、足湯が設置される場所はそれなりに制限される。
【０００３】
その一方、近くに温泉の源泉が無いイベント会場において足湯を設置するためには、温泉の湯をタンクに積んで運搬し、可搬型の足湯槽に湯を供給して足湯を提供することが必要となる。
移動運搬が可能な足湯に関する技術の一例が、特許文献１に記載されている。
【０００４】
【特許文献１】実用新案登録第３１２４８５１号公報
【発明の概要】
【発明が解決しようとする課題】
【０００５】
足湯は、利用者が靴下をその場で脱いで足を湯に浸すため、足の皮膚に付着した靴下のカスが足湯の桶の中に溜まりやすい。その他、足の体毛等も足湯の桶の中に溜まりやすく、これらのごみは軽いため、桶の内部を浮遊しやすく、ごみが桶の内部に溜まった状態のままであると、衛生上好ましくない。そのため、これらのごみを簡便に除去する手段が求められている。
【０００６】
また、可搬型の足湯の場合には、温泉の湯をタンクに積んで運搬し、タンクから足湯の桶に温泉の湯を注入するが、足湯の桶を複数設置する場合には、複数の桶に注入された湯の温度にばらつきが無いことが求められる。
【０００７】
本発明は、このような事情を考慮してなされたもので、桶に滞留するごみを簡便に除去することが可能であり、タンクから複数の桶に注入された湯の温度にばらつきが生じることを抑制することが可能な足湯装置を提供することを目的とする。
【課題を解決するための手段】
【０００８】
以上の課題を解決するために、本発明の足湯装置は、湯が注入される桶と、桶の中央底部に設けられた凹部に嵌め込まれて設置されるダストボックスとを備えた足湯装置であって、ダストボックスは、ダストボックス内の湯を吸い込んでポンプユニットに送る吸込口を備え、吸込口にはフィルターが装着されており、ポンプユニットに送られた湯はポンプユニットによって加圧されて桶に流入し、桶の内部でダストボックスの周囲を旋回する湯の流れが生成されることを特徴とする。
【０００９】
ダストボックスの吸込口を経てポンプユニットに送られた湯は、ポンプユニットによって加圧されて桶に流入し、桶の内部でダストボックスの周囲を旋回する湯の流れが生成されることと、吸込口によってごみがダストボックス内に吸い寄せられる効果により、桶の内部のごみがダストボックス内へ集約される。そのため、桶の内部に滞留するごみを簡便な手法でダストボックス内へ集めることができる。吸込口にはフィルターが装着されているため、吸込口を通してダストボックス内のごみがポンプユニットを介して桶の内部に戻ることを防止できる。
【００１０】
本発明の足湯装置においては、前記ダストボックスは上部を覆う上蓋を備え、側壁と底面部とを有する箱型形状であって、側壁の上方に空隙を隔てて、上蓋の外周端下方に、真下方向よりも内側に傾斜した板からなる返しが形成されている構造とすることができる。
【００１１】
返しの下端と側壁の上端との間に形成される空隙を通って、ごみがダストボックスの内部空間に入り込むが、返しが形成されていることにより、ダストボックスに入ったごみが空隙を通って桶の内部に戻ることを防止でき、ごみをダストボックス内に留めることができる。
【００１２】
本発明の足湯装置においては、前記桶の凹部を形成する壁面は上端外周部に階段部を有し、前記ダストボックスは側壁の上端外周側に水平部を有しており、前記階段部の水平面と前記ダストボックスの水平部とが接して密着した状態で、前記凹部に前記ダストボックスが嵌めこまれる構造とすることができる。
【００１３】
階段部の水平面とダストボックスの水平部とは、湯圧によって隙間なく密着するため、ダストボックスの装着を強固にすることができる。
【００１４】
本発明の足湯装置においては、前記ダストボックスの側壁と底面部は、砂を含有する樹脂によって形成されている構造とすることができる。
【００１５】
ダストボックスの側壁と底面部を、砂を含有する樹脂によって形成することにより、ダストボックスを設置する際のウエイトとして機能するため、ダストボックスの設置の安定性が向上する。
【００１６】
本発明の足湯装置においては、前記上蓋は、前記ダストボックスの上端に対してねじ止めにより取り付けられている構造とすることができる。
【００１７】
ダストボックスの上部を覆う上蓋が、ダストボックスの上端に対してねじ止めにより取り付けられているため、ダストボックス内に溜まったごみを排除する際に、上蓋をダストボックスから取り外してごみを捨てることができ、ごみの排除を容易に行うことができる。
【００１８】
本発明の足湯装置においては、前記桶の底面は、外周側から中心部方向に向かって下向きに傾斜している構造とすることができる。
【００１９】
桶の底面が外周側から中心部方向に向かって下向きに傾斜していることにより、桶の底面に付着したごみは、桶の中央底部に取付けられたダストボックスに集約されやすくなる。
【００２０】
本発明の足湯装置においては、前記桶に湯を注入するタンクを備え、タンクから複数の桶に湯を供給するホースから桶への流路に対して湯圧ノズルが装着されて、複数の桶に湯を供給する際の湯の供給量と供給時間が湯圧ノズルによって調整される構造とすることができる。
【００２１】
複数の桶に湯を供給する際の湯の供給量と供給時間が湯圧ノズルによって調整されるため、複数の桶に注入された湯の温度にばらつきが生じることを抑制できる。
【発明の効果】
【００２２】
本発明によると、桶に滞留するごみを簡便に除去することが可能であり、タンクから複数の桶に注入された湯の温度にばらつきが生じることを抑制することが可能な足湯装置を実現することができる。
【図面の簡単な説明】
【００２３】
【図１】本発明の実施形態に係る足湯装置の全体図である。
【図２】ダストボックスの拡大図である。
【図３】ダストボックスを桶の凹部に嵌め込んだ状態と、ダストボックスを凹部から取り外した状態を示す図である。
【図４】湯を供給するタンクと桶との連結構造を示す図である。
【発明を実施するための形態】
【００２４】
以下に、本発明の足湯装置を、その実施形態に基づいて説明する。
図１に、本発明の実施形態に係る足湯装置の全体図を示す。図１（ａ）は、足湯装置の側面図であり、図１（ｂ）はその平面図である。
【００２５】
足湯装置１は、湯が注入される桶２と、桶２の中央底部に設けられた凹部３に嵌め込まれて設置されるダストボックス４とを備えており、ダストボックス４は、その上部を覆う上蓋５を備えている。桶２は注入口６と排出口７とを備えており、注入口６と排出口７にはそれぞれホースが接続されて、注入口６から湯が注入され、桶２でオーバーフローした湯は、排出口７から排出される。温泉の湯を用いる場合には、これにより源泉かけ流しの状態が維持される。図１は、桶２に湯が注入された状態を示しており、この状態においては、ダストボックス４は湯圧によって桶２の凹部３に動かない状態で安定して設置されている。
【００２６】
ダストボックス４は、ダストボックス４内の湯を吸い込んで、ポンプユニット８に送る吸込口９を備えている。吸込口９にはフィルターが装着されており、ポンプユニット８に送られた湯はポンプユニット８によって加圧されて桶２に流入する。桶２の内部でダストボックス４の周囲を旋回する湯の流れが生成されることと、吸込口９の吸い寄せ効果によって、桶２の内部のごみがダストボックス４内へ集約される。
【００２７】
桶２の底面１０は、外周側から中心部方向に向かって下向きに傾斜している構造とすることにより、桶２の底面１０に付着したごみは、桶２の中央底部に取付けられたダストボックス４に集約されやすくなる。
【００２８】
図１において矢印で示すように、桶２の内部でダストボックス４の周囲を旋回する湯の流れが生成されることにより、桶２の内部のごみがダストボックス４内へ集約されるため、桶２の内部に滞留するごみを簡便な手法でダストボックス４内へ集めることができる。吸込口９にはフィルターが装着されているため、吸込口９を通してダストボックス４内のごみがポンプユニット４を介して桶２の内部に戻ることを防止できる。
【００２９】
図２（ａ）は、ダストボックス全体の拡大図であり、図２（ｂ）は、ダストボックスの吸込口部分の拡大図である。また、図３（ａ）は、ダストボックスを桶の凹部に嵌め込んだ状態を示す図であり、図３（ｂ）は、ダストボックスの上端外周部の拡大図である。図３（ｃ）は、ダストボックスにごみが集約される様子を示し、図３（ｄ）は、ダストボックスを凹部から取り外した状態を示している。
【００３０】
ダストボックス４は、その上部を覆う上蓋５を備え、側壁１１と底面部１２とを有する箱型形状であり、上蓋５の外周端１４の下方には、側壁１１の上方に空隙１３を隔てた位置に、真下方向よりも内側に傾斜した板からなる返し１５が形成されている。ここで内側に傾斜したとは、ダストボックス４の中心向きに傾斜していることを意味する。桶２内のごみは、上述した旋回する湯の流れと、吸込口９の吸い寄せ効果によって、返し１５の下端と側壁１１の上端との間に形成される空隙１３を通って、ダストボックス４の内部空間に入り込む。ダストボックス４の内部空間に入り込んだごみは、返し１５が形成されていることにより、空隙１３を通って桶２の内部に戻ることが抑制され、ボックス４の内部空間に留まる。
【００３１】
図３（ｄ）に示すように、桶２の凹部３を形成する壁面１６は、上端外周部に階段部１７を有している。また、ダストボックス４は側壁１１の上端外周側に水平部１８を有している。階段部１７の水平面１９とダストボックス４の水平部１８とが接して密着した状態で、凹部３にダストボックス４が嵌めこまれる。階段部１７の水平面１９とダストボックス４の水平部１８とは、湯圧によって隙間なく密着するため、ダストボックス４の装着を強固にすることができる。
【００３２】
ダストボックス４の側壁１１と底面部１２は、砂を含有する樹脂によって形成されている。これにより、ダストボックス４を凹部３内に設置する際のウエイトとして機能するため、ダストボックス４の設置の安定性が向上する。
【００３３】
上蓋５は、ダストボックス４の上端に対してねじ２０によるねじ止めにより取り付けられている。図３（ｃ）に示すように、ダストボックス４の内部空間に溜まったごみは、図３（ｄ）に示すように、ダストボックス４を凹部３から取り外して排除されるが、ダストボックス４の上部を覆う上蓋５が、ダストボックス４の上端に対してねじ止めにより取り付けられていることにより、ダストボックス４内に溜まったごみを排除する際に、上蓋５をダストボックス４から取り外してごみを捨てることができ、ごみの排除を容易に行うことができる。
【００３４】
このように、桶２に湯が注入された状態においては、ダストボックス４は湯圧によって桶２の凹部３に動かない状態で安定して設置されているため、ごみの集約を確実に行うことができるとともに、桶２から湯を抜くと、ダストボックス４には湯圧は作用せず、簡単に取り外しが可能となって、ごみの取出しを容易に行うことができる。従って、本発明の足湯装置は、ごみの集約とごみの取出しとを簡便な手法により効率的に行うことができる点に大きな利点がある。
【００３５】
図４に、湯を供給するタンクと桶との連結構造を示す。ここでは、移動式の足湯の場合について説明する。トラックの荷台に積まれたタンク２１に給湯のためのホース２２が接続され、分岐チーズ２３によって湯が分岐されて複数の桶２ａ、２ｂに湯が供給される。分岐後の流路に対して、湯圧ノズル２４が装着されている。湯圧ノズル２４は、桶２に注入される湯の温度調整手段として機能するものであり、複数の桶２ａ、２ｂに湯を供給する際の湯の供給量と供給時間が湯圧ノズル２４によって調整される。これにより、複数の桶２ａ、２ｂに注入された湯の温度にばらつきが生じることを抑制できる。桶２ａ、２ｂ内でオーバーフローした湯は、分岐チーズ２５を通って排出される。
【産業上の利用可能性】
【００３６】
本発明は、桶に滞留するごみを簡便に除去することが可能であり、タンクから複数の桶に注入された湯の温度にばらつきが生じることを抑制することが可能な足湯装置として、広く利用することができる。
【符号の説明】
【００３７】
１  足湯装置
２、２ａ、２ｂ  桶
３  凹部
４  ダストボックス
５  上蓋
６  注入口
７  排出口
８  ポンプユニット
９  吸込口
１０  底面
１１  側壁
１２  底面部
１３  空隙
１４  外周端
１５  返し
１６  壁面
１７  階段部
１８  水平部
１９  水平面
２０  ねじ
２１  タンク
２２  ホース
２３  分岐チーズ
２４  湯圧ノズル
２５  分岐チーズ
【図１】
2018175274.tif 000003
【図２】
2018175274.tif 000004
【図３】
2018175274.tif 000005
【図４】
2018175274.tif 000006